(57)【要約】【課題】  映像であるオブジェクトに光ディスクを使用し、採光を可視光線に分光処理させることにより、幾何学的模様と非幾何学的模様の両方の複雑で多彩な映像を実現させる万華鏡を提供する。【解決手段】  鏡面を内側に向けて三角形状に配置された三角鏡体を収容する筒状の筒体を設け、前記筒体の後端部に覗き窓を設けた万華鏡において、映像のオブジェクトに光ディスクの一部または全部を設け、前記筒体の前端部の延長上に前記光ディスクを可視範囲に配置させ、前記光ディスクの前記配置を保持する手段を有する配置保持部を構成する。【選択図】図１
2012008507.tif 000002
【特許請求の範囲】
【請求項１】
鏡面を内側に向けて三角形状に配置された三角鏡体を収容する筒状の筒体を設け、前記筒体の後端部に覗き窓を設けた万華鏡において、前記筒体の前端部の延長上に、前記万華鏡の映像のオブジェクトとして、光ディスクの一部または全部を配置し、前記光ディスクの前記配置を保持する手段を設けたことを特徴とする万華鏡。
【発明の詳細な説明】
【技術分野】
【０００１】  本発明は、映像のオブジェクトに光ディスクすなわち光ディスク型記憶媒体の一部または全部を使用することにより、幾何学的模様と非幾何学的模様の両方の複雑で多彩な映像を見ることができるようにした万華鏡に関する。
【背景技術】
【０００２】  より優れた映像美を追求して、近年では、発光ダイオードの発光体を利用した万華鏡が開発されている。【０００３】  その例として、特許文献１の万華鏡はオイルワンド形万華鏡であるが、万華鏡本体の軸方向と直角に設けられ、内部にオイルが充填された、透明材による筒状のオブジェクトケース内の彩色プラスチック片の緩やかな移動によって形成される映像を、バックライトに赤、緑、青の３種類の発光ダイオードの発光制御によってさらに美しく引き立たせる試みがあり、オブジェクトを際立たせ、さらなる上質の映像美の追求がされている。【０００４】  特許文献１の万華鏡においては、発光ダイオードの光に、光の３原色である赤、緑、青を用いているが、その３色の根本になるのは、太陽光線の赤から始まり紫に終わる可視光線に起因している。【０００５】  したがって、３色の発光ダイオードの発光制御による太陽光線の再現には、人工的であるが故の限界があるといわざるをえない。【０００６】  万華鏡の３要素は、鏡、光、オブジェクトの物体であるが、自然光である太陽光線を効率よく採り込み、採光を映像化に結びつけて万華鏡特有のより優れた映像美を実現できるかが、万華鏡を作るにあたっての技術的テーマの１つと考えられる。
【先行技術文献】
【特許文献】
【０００７】
【特許文献１】  特開２００７−３３９７４公報
【０００８】  本発明は、このような従来の問題点に着目してなされたものであり、採光された太陽光線を、光ディスクの情報未書き込み面に照射し、その分光処理された反射光を万華鏡で映像化するものである。【０００９】  よって従来の万華鏡では、実像および回転角度を変えた虚像の集合体で構成された幾何学的模様がその映像であったが、本発明では、太陽光線の分光化を極めて簡単に実行することにより、夫々、単色の可視光線に分光させて、極彩色の映像を実現し、また幾何学的模様のみならず非幾何学的模様の同時映像化をさせる万華鏡を提供することを目的とする。【００１０】  前記目的を達成するために、本発明の請求項１の万華鏡は、鏡面を内側に向けて三角形状に配置された三角鏡体を収容する筒状の筒体を設け、前記筒体の後端部には覗き窓を設けた万華鏡において、前記筒体の前端部の延長上に前記万華鏡の映像のオブジェクトの光ディスクの一部または全部を配置し、前記光ディスクの前記配置を保持する手段を設けたことを特徴とする。【００１１】  前記光ディスクとして、例えばＣＤやＤＶＤが挙げられる。【００１２】  前記ＣＤや前記ＤＶＤは、より鮮明な映像美を実現するためには、情報未書き込みの状態が適している。
【発明の効果】
【００１３】  本発明では、前記に示すようにオブジェクトの光ディスクに太陽光線が照射された場合、ある特定の採光の反射光が、実施者の視野に入ったときには、前記光ディスクの情報書き込み面の上に、ラジアル方向に虹色で一条の光の筋が見られる。
【００１４】  前記光の筋を、万華鏡の覗き窓から観察すると、三角鏡体形式の万華鏡では、前記光ディスクであるＣＤによる緑色系もしくはＤＶＤによる青色系を背景にして、虹色に輝く光の筋の幾何学的模様の集合体となるので、従来では体験できなかった異次元の万華鏡の幻想的かつ神秘的な映像を楽しむことが可能となる。
【００１５】  本発明の第二の視覚的効果として、従来の万華鏡の幾何学的模様ではなく、非幾何学的模様の実現が可能である。
【００１６】  従来の万華鏡では、実像と無数の回転角度を変えた虚像が織り成す幾何学的模様の映像であったが、本発明では、光ディスクの情報未書き込み面に現出される虹色の光の筋が、実像と三角鏡体上の虚像では採光の反射角度に若干の差異があるため光の筋の色合いの変化を生む。
【００１７】  したがって、本発明の万華鏡に出現する映像では、前記光の筋の色合いの変化の差異が、万華鏡の筒体内の三角鏡体で次々に現れる虚像ごとに前記光の筋に変化の差異を増大させ、よって、幾何学的模様でない非幾何学的模様の集合の映像を可能とする。
【００１８】  本発明による万華鏡のオブジェクトである光ディスクが、採光を分光処理する新概念から出現させる前記非幾何学的模様は、従来の万華鏡のオブジェクトそのものを虚像化させる方法では体験できなかった視覚効果であり、万華鏡の映像美の世界をさらに拡大させる。
【００１９】  本発明の万華鏡のオブジェクトである光ディスクは、円盤状をしているため、万華鏡として構成させるにはホイール形万華鏡の形態をとるが、前記光ディスクと三角鏡体との間に、第２オブジェクトとして従来で使われていた彩色プラスチック片や彩色ガラス片などを入れたチェンバーを設けることにより、ホイール形万華鏡とチェンジャブル形万華鏡の合成した形態をとってもよい。
【００２０】  上記ホイール形万華鏡とチェンジャブル形万華鏡の合成した形態の万華鏡の映像では、第１オブジェクトである光ディスクの、ＣＤによる緑色系かＤＶＤによる青色系の非幾何学的模様を背景にして、色合いの違う第２オブジェクトによる幾何学的模様を立体的に浮かび上がらせる擬似的３Ｄの視覚効果もある。
【図面の簡単な説明】
【００２１】
【図１】本発明による実施例１の万華鏡の分解斜視図
【図２】同実施例１の万華鏡の組み立てた状態の全体斜視図
【図３】同実施例２の万華鏡の全体斜視図
【図４】同実施例３の万華鏡の全体斜視図
【図５】同実施例４の万華鏡の全体斜視図
【図６】同実施例５の万華鏡の全体斜視図
【図７】同実施例６の万華鏡の全体斜視図
【発明を実施するための形態】
【実施例１】
【００２２】  本発明の実施例１の形態を図１、図２に基づいて説明する。【００２３】  本発明による万華鏡１は、図１に示すように、接眼キャップ３、筒体４、三角鏡体５、透明材６、対物キャップ７により形成される鏡体収容部と、ブラケット８、ナット９、座金１０、光ディスク１３、ボルト１１により形成されるオブジェクト部に分かれ、オブジェクト部のブラケット８のブラケット穴部８ａに鏡体収容部を嵌挿することによって、万華鏡１は構成されている。【００２４】  本発明の万華鏡の操作性と軽量化のため、ナット９、座金１０、ボルト１１の材質は、木製もしくはプラスチック製がよい。【００２５】  オブジェクト部のブラケット８のブラケット穴部８ａの嵌合公差は、鏡体収容部を嵌挿、かつ回動が可能な範囲とする。【００２６】  図２は、本発明の実施例１の万華鏡の組立てた状態の全体斜視図であるが、ボルト１１を回すことによって、光ディスク１３と対物キャップ７との距離は、可視範囲内で調整することが可能である。【００２７】  本発明の万華鏡の実施にあたり、実施者は覗き窓２から前記鏡体収容部を覗くが、採光する光源の位置は、図２の本発明による万華鏡の全体斜視図で示されているように、鏡体収容部が、ボルト１１より図中で上方に在り、換言すれば鏡体収容部がボルト１１より光源に近い万華鏡の態勢でなければならない。【００２８】  上記万華鏡の態勢であるとき、採光により、光ディスク１３の情報未書き込み面１２に、一条の虹色に輝く光の筋が発生するが、覗き窓２から覗いて前記光の筋が可視範囲内に収まるように、万華鏡の採光位置を調整する。【００２９】  図２で示すように接眼キャップ３、筒体４、対物キャップ７により形成される鏡体収容部が、ボルト１１より図中で上方に在る態勢とは反対に、鏡体収容部が、ボルト１１より図中で下方に在る態勢では、ボルト１１が採光を干渉するため、覗き窓２から覗く可視範囲内の光ディスク１３の情報未書き込み面１２に前記光の筋が現れず、本発明の万華鏡の視覚効果が現れない。【００３０】  本発明の万華鏡のオブジェクトに使用される光ディスク１３の情報未書き込み面１２に情報が書き込まれている場合では、情報書き込み面に微細な凹凸が形成されるために、採光時に発生する分光化された反射光の乱反射が起こり、反射光全体の色相および彩度が極度に低下するので、万華鏡の覗き窓２から見られる映像はかなり退色したものとなり、万華鏡本来の極彩色の映像美が実現できない。【００３１】  よって本発明に使用される光ディスク１３の情報未書き込み面１２は、他の実施例とも例外なく、情報が書き込まれる以前の情報未書き込みの状態でなければならない。
【実施例２】
【００３２】  本発明の実施例２の形態を、図３に基づいて説明する。【００３３】  図３は、図２の実施例１において全面的に使用されている光ディスク１３を、コスト削減、軽量化を目的にして実施に必要と思われる９０度に裁断して、部分的使用とさせた光ディスク１３ａをオブジェクトとした万華鏡であるが、ボルト１１とナット９で光ディスク１３ａを締め込んだとき、２枚の座金１０が偏った力の閉め具合となるのを防止する目的で、スペーサ１４を２枚の座金１０の間に挟むようにする。【００３４】  本発明の実施にあたり、図３の図中で上方からの光源による採光により、光ディスク１３ａの情報未書き込み面１２ａに、虹色に輝く光の筋を発生させ、覗き窓２から実施者が覗いて、前記光の筋を可視範囲内に収めるように万華鏡の採光角度を調整する。【００３５】  図３において、接眼キャップ３、筒体４、対物キャップ７により形成される鏡体収容部の対物キャップ７は、ブラケット穴部８ａに嵌挿して回動が可能な構造になっているので、鏡体収容部の覗き窓２から覗いて見える光ディスク１３ａの情報未書き込み面１２ａの可視範囲の位置を変更することが可能である。【００３６】  したがって鏡体収容部の覗き窓２から覗いて見える光ディスク１３ａの情報未書き込み面１２ａの実像である、虹色に輝く光の筋の色合いが変化するので、前記実像と虚像が織り成す万華鏡の映像を見て楽しむことができよう。
【実施例３】
【００３７】  本発明の実施例３の形態を、図４に基づいて説明する。【００３８】  図４において接眼キャップ３、筒体４、対物キャップ７ａにより形成される鏡体収容部の対物キャップ７ａとは、透明材によるオブジェクトケース１５と接合可能な構造となっていて、さらにオブジェクトケース１５は、透明材による蓋１６と接合可能な構造となっており、オブジェクトケース１５内には、第２オブジェクト１７が収容されている。【００３９】  図４において、鏡体収容部には、ブラケット８のブラケット穴部８ａに対物キャップ７ａの位置で嵌挿され、かつ回動できるようになっている。【００４０】  図４において、ブラケット８ａには図２の実施例１と同様に、光ディスク１３が、ボルト１１、座金１０、ナット９の構成部品によって固定され、万華鏡の覗き窓２より覗くと、第２オブジェクト１７と、光ディスク１３の情報未書き込み面１２が、同一視界上に見られるように配置されている。【００４１】  実施例３を実施するには、図４の図中の上方からの光源から採光して、光ディスク１３の情報未書き込み面１２の面上に発生する虹色に輝く光の筋を、覗き窓２から覗いた可視範囲内に入るように、採光状態を調整する。【００４２】  図４において、採光状態が良好な状態には、第１オブジェクトである光ディスク１３の情報未書き込み面１２に発生する緑色系もしくは青色系に輝く非幾何学的模様の映像を背景にして、第２オブジェクト１７による幾何学的模様が浮かびあがって見えるように、合成された映像が見られる。【００４３】  前記合成された映像では、前記第１オブジェクトによる前記非幾何学的模様と第２オブジェクト１７による前記幾何学的模様の両方が合成されて見られるので、従来の万華鏡では体験できなかった擬似的３Ｄの視覚効果が得られる。
【実施例４】
【００４４】  本発明の実施例４の形態を、図５に基づいて説明する。【００４５】  図５において実施例３と同様に，接眼キャップ３、筒体４、対物キャップ７ａにより形成される鏡体収容部の対物キャップ７ａとは、透明材によるオブジェクトケース１５と接合可能な構造となっていて、さらにオブジェクトケース１５は、透明材による蓋１６と接合可能な構造となっており、オブジェクトケース１５内には、第２オブジェクト１７が収容されている。【００４６】  図５において、鏡体収容部には、ブラケット８のブラケット穴部８ａに対物キャップ７ａの位置で嵌挿され、かつ回動できるようになっている。【００４７】  図５において、ブラケット８ａには、図３の実施例２と同様に９０度に裁断された光ディスク１３ａが、ボルト１１、座金１０、ナット９の構成部品によって固定され、万華鏡の覗き窓２より覗くと、第２オブジェクト１７と、光ディスク１３ａの情報未書き込み面１２ａが、同一視界上に見られるように配置されている。【００４８】  図５は、図３の実施例２と同様に、図１と図２の実施例１に全面的に使用されている光ディスク１３を、コスト削減、軽量化を目的にして実施に必要と思われる９０度に裁断して、部分的使用とさせた光ディスク１３ａをオブジェクトとして使用する万華鏡であるが、ボルト１１とナット９で光ディスク１３ａを締め込んだとき、２枚の座金１０が偏った力の閉め具合となるのを防止する目的で、スペーサ１４を２枚の座金１０の間に挟むようにする。【００４９】  本発明の実施にあたり、図５の図中で上方からの光源による採光により、光ディスク１３ａの情報未書き込み面１２ａに、虹色に輝く光の筋を発生させ、覗き窓２から実施者が覗いて、該光の筋を可視範囲内に収めるように万華鏡の採光角度を調整する。【００５０】  鏡体収容部の対物キャップ７ａは、ブラケット穴部８ａに嵌挿して回動が可能な構造になっているので、鏡体収容部の覗き窓２から覗いて見える光ディスク１３ａの情報未書き込み面１２ａの可視範囲の位置を変更することが可能である。【００５１】  実施例４を実施するには、図４の実施例３と同様に、図５の図中の上方からの光源から採光して、光ディスク１３ａの情報未書き込み面１２ａの面上に発生する虹色に輝く光の筋を、覗き窓２から覗いた可視範囲内に入るように、採光状態を調整する。【００５２】  図５において、採光状態が良好な状態には、第１オブジェクトである光ディスク１３ａの情報未書き込み面１２ａに発生する緑色系もしくは青色系に輝く非幾何学的模様の映像を背景にして、第２オブジェクト１７による幾何学的模様が浮かびあがって見えるように、前記非幾何学的模様と前記幾何学的模様の合成された映像が見られる。【００５３】  前記合成された映像では、前記第１オブジェクトによる前記非幾何学的模様と第２オブジェクト１７による前記幾何学的模様の両方が合成されて見られるので、従来の万華鏡では体験できなかった擬似的３Ｄの視覚効果が得られるとともに、実施時の操作性が、図４の実施例３よりも軽快に操作できる利点がある。【００５４】  本発明の実施例５の形態を、図６に基づいて説明する。【００５５】  図６において、対物キャップ７ａと透明材によるオブジェクトケース１５とは、着脱自在な構造となっていて、オブジェクト交換が可能であるチェンジャブル形万華鏡の形態を実施する。【００５６】  図６において、透明材のオブジェクトケース１５と、透明材もしくは半透明材による蓋１６は着脱自在な構造になっていて、蓋１６には、第１オブジェクトに光ディスク１３ｂの部分的使用が実施され、蓋１６の内径に合わせて部分的円形加工をして蓋１６の内側に固着され、蓋１６をオブジェクトケース１５に接合したときの、光ディスク１３ｂの情報未書き込み面１２ｂの面の向きは、組立てた万華鏡の覗き窓２から情報未書き込み面１２ｂが見える面で実施する。【００５７】  上記において、光ディスク１３ｂの情報未書き込み面１２ｂの部分的円形加工するときは、実施時における採光の虹色に輝く光の筋を発生させるため、元の全面的使用の光ディスク１３の中心と、円周の曲線の辺と直角方向の線を結んで形成される、ラジアル方向である中心線が、前記部分的円形加工の光ディスク１３ｂの中心線となるように裁断加工する。【００５８】  上記の光ディスク１３ｂを第１オブジェクトにして実施するときは、鏡体収容部を回動させるか、上方にある光源からの採光角度を調整することによって、映像の変化が見られる。【００５９】  図６において、実施例５の万華鏡は、オブジェクト交換が可能なチェンジャブル形万華鏡なので、蓋１６を外すことによってオブジェクトケース１５の内部に、彩色プラスチック片や彩色ガラス片または植物などの有機物を第２オブジェクトとして収容し、擬似的３Ｄの視覚効果のある映像を見て楽しむことが可能である。
【実施例６】
【００６０】  本発明の実施例６の形態を、図７に基づいて説明する。【００６１】  図７においては図６の実施例５と同様に、対物キャップ７ａと透明材によるオブジェクトケース１５とは、着脱自在な構造となっていて、オブジェクト交換が可能であるチェンジャブル形万華鏡の形態を実施する。【００６２】  図７において、透明材のオブジェクトケース１５と、透明材もしくは半透明材による蓋１６は着脱自在な構造になっていて、蓋１６には、第１オブジェクトに光ディスク１３ｃの部分的使用が実施され、蓋１６の内径に合わせて部分的楕円形加工をして蓋１６の内側に角度を付けて斜めに固着され、蓋１６をオブジェクトケース１５に接合したときの、光ディスク１３ｃの情報未書き込み面１２ｃの面の向きは、組立てた万華鏡の覗き窓２から情報未書き込み面１２ｃが見える面で実施する。【００６３】  上記において、光ディスク１３ｃの情報未書き込み面１２ｃの部分的楕円形加工するときは、実施時における採光の虹色に輝く光の筋を発生させるため、元の全面的使用のディスク１３の中心と円周の直角方向の線を結んで形成される、ラジアル方向である中心線が、前記部分的楕円形加工の光ディスク１３ｃの中心線となるように裁断加工する。【００６４】  上記光ディスク１３ｃを第１オブジェクトにして実施するときは、鏡体収容部を回動させるか、上方にある光源からの採光角度を調整することによって映像の変化が見られるが、実施例５と比較して、光ディスク１３ｃが部分的楕円形加工され、かつ情報未書き込み面１２ｃが斜めに角度を付けて蓋１６に固着されているために採光の反射角度、反射光量の違いがあり、実施例５とは異なった色合いの虹色に輝く光の筋を発生するので、それに付随して異なった色合いの映像が見られることになる。【００６５】  図７の実施例６の万華鏡は、図６の実施例５と同様に、オブジェクト交換が可能なチェンジャブル形万華鏡なので、蓋１６を外すことによってオブジェクトケース１５の内部に、彩色プラスチック片や彩色ガラス片または植物などの有機物を第２オブジェクトとして収容し、３Ｄ効果のある映像を見て楽しむことが可能である。
【符号の説明】
【００６６】１    万華鏡
２    覗き窓
３    接眼キャップ
４    筒体
５    三角鏡体
６    透明材
７    対物キャップ
７ａ  対物キャップ
８    ブラケット
８ａ  ブラケット穴部
９    ナット
１０  座金
１１  ボルト
１２  情報未書き込み面
１２ａ情報未書き込み面
１２ｂ情報未書き込み面
１３  光ディスク
１３ａ光ディスク
１３ｂ光ディスク
１４  スペーサ
１５  オブジェクトケース
１６  蓋
１７  第２オブジェクト
【図１】
2012008507.tif 000003
【図２】
2012008507.tif 000004
【図３】
2012008507.tif 000005
【図４】
2012008507.tif 000006
【図５】
2012008507.tif 000007
【図６】
2012008507.tif 000008
【図７】
2012008507.tif 000009